(57)【要約】【課題】遮音効果を実現することができる床構造および床構造の組み立て方法を提供する。【解決手段】躯体１に取り付けた第一ＡＬＣ床部材１１と、この第一ＡＬＣ床部材１１の上に配置した第二ＡＬＣ床部材１２と、第一ＡＬＣ床部材１１の両端部１３と第二ＡＬＣ床部材１２の両端部１４との間に配置し、各両端部１３，１４に沿って取り付けて連続させた第一緩衝部材１５と、この第一緩衝部材１５同士の間で、第一ＡＬＣ床部材１１のほぼ中央に配置し、第一ＡＬＣ床部材１１ごとに取り付けて断続した第二緩衝部材１６と、第一ＡＬＣ床部材１１と第二ＡＬＣ床部材１２との間に形成した中空層１７と、から床構造１０を構成する。【選択図】図２
2015155604.tif 000002
【特許請求の範囲】
【請求項１】
躯体に取り付けられた第一ＡＬＣ床部材と、
前記第一ＡＬＣ床部材の上に配置された第二ＡＬＣ床部材と、
前記第一ＡＬＣ床部材と前記第二ＡＬＣ床部材との間の端に配置され、前記第一ＡＬＣ床部材と前記第二ＡＬＣ床部材との間に中空層を形成するための第一緩衝部材と、
が備えられた、
ことを特徴とする床構造。
【請求項２】
前記第一緩衝部材同士の間に第二緩衝部材が配置された、
ことを特徴とする請求項１に記載された床構造。
【請求項３】
前記第一緩衝部材が前記端に沿って一筋に連ねられ、
前記第二緩衝部材が前記第一ＡＬＣ床部材ごとに取り付けられて断続した、
ことを特徴とする請求項２に記載された床構造。
【請求項４】
第一ＡＬＣ床部材を躯体に取り付ける手順と、
前記第一ＡＬＣ床部材の端部に第一緩衝部材を取り付けると共に、前記第一緩衝部材同士の間に第二緩衝部材を取り付ける手順と、
前記第一緩衝部材および第二緩衝部材を介して前記第一ＡＬＣ床部材の上に第二ＡＬＣ床部材を配置させ、前記第一ＡＬＣ床部材と前記第二ＡＬＣ床部材との間に中空層を形成する手順と、
を含む、
ことを特徴とする床構造の組み立て方法。
【発明の詳細な説明】
【技術分野】
【０００１】
本発明は、例えば住宅などの建築物の床構造および床構造の組み立て方法に関するものである。
【背景技術】
【０００２】
従来、住宅などでは、床への衝撃や音声による振動が下階に伝搬されることを防ぐため、遮音効果がある床構造として、例えば下記特許文献１に記載された二重床構造がある。この二重床構造は、緩衝部材としての液封マウントがコンクリートスラブの上に点在し、この液封マウントを介してコンクリートスラブの上に床材が配置されている。液封マウントは、取付部材、液体が封入された筐体など、多数の部品から構成された複雑な装置である。
【０００３】
その他、遮音効果を高める構造としてコンクリートスラブのスラブ厚を厚くする場合もある。
【先行技術文献】
【特許文献】
【０００４】
【特許文献１】特開２００６−２８３４０１号公報
【発明の概要】
【発明が解決しようとする課題】
【０００５】
上記したとおり、住宅などの床構造は遮音効果があることが望ましいところ、コンクリートスラブは単位重量が重いため（例えば厚みが２００ｍｍの場合の重量は約４６０ｋｇ／ｍ2）、構造体への負担が大きく、また長期の施工期間を要する場合がある。本発明は、このような実情に鑑みて提案されたものである。すなわち、遮音効果を実現することができる床構造および床構造の組み立て方法の提供を目的とする。
【課題を解決するための手段】
【０００６】
上記目的を達成するために、本発明は、一般的に吸音性があるといわれるＡＬＣを用いて、遮音効果を実現した床構造である。すなわち、本発明に係る床構造は、躯体に取り付けられた第一ＡＬＣ床部材と、前記第一ＡＬＣ床部材の上に配置された第二ＡＬＣ床部材と、前記第一ＡＬＣ床部材と前記第二ＡＬＣ床部材との間の端に配置され、前記第一ＡＬＣ床部材と前記第二ＡＬＣ床部材との間に中空層を形成するための第一緩衝部材と、が備えられた、ことを特徴とする。
【０００７】
本発明に係る床構造は、前記第一緩衝部材同士の間に第二緩衝部材が配置された、ことを特徴とする。
【０００８】
本発明に係る床構造は、前記第一緩衝部材が前記端に沿って一筋に連ねられ、前記第二緩衝部材が前記第一ＡＬＣ床部材ごとに取り付けられて断続した、ことを特徴とする。
【０００９】
本発明に係る床構造の組み立て方法は、第一ＡＬＣ床部材を躯体に取り付ける手順と、前記第一ＡＬＣ床部材の端部に第一緩衝部材を取り付けると共に、前記第一緩衝部材同士の間に第二緩衝部材を取り付ける手順と、前記第一緩衝部材および第二緩衝部材を介して前記第一ＡＬＣ床部材の上に第二ＡＬＣ床部材を配置させ、前記第一ＡＬＣ床部材と前記第二ＡＬＣ床部材との間に中空層を形成する手順と、を含む、ことを特徴とする。
【発明の効果】
【００１０】
本発明に係る床構造および床構造の組み立て方法は、上記した構成である。この構成により、第二ＡＬＣ床部材への衝撃によって発生した振動が中空層で減衰するため、振動が第二ＡＬＣ床部材から第一ＡＬＣ床部材に直接伝搬することが妨げられる。したがって、遮音効果を実現することができる。
【００１１】
本発明に係る床構造は、第一緩衝部材同士の間に第二緩衝部材が配置されている。この構成により、第二ＡＬＣ床部材のうち、振動の媒体となる部分の面積が、第一緩衝部材と第二緩衝部材との間の範囲に狭められ、第二ＡＬＣ床部材が振動し辛くなる。したがって、いわゆる太鼓現象を抑制することができ、遮音効果を実現することができる。
【００１２】
本発明に係る床構造は、第一緩衝部材が端に沿って一筋に連ねられ、第二緩衝部材が第一ＡＬＣ床部材ごとに取り付けられて断続している。したがって、いわゆる太鼓現象を更に抑制することができ、更に向上した遮音効果を実現することができる。
【図面の簡単な説明】
【００１３】
【図１】本発明の実施形態に係る床構造の平面が示された平面図である。
【図２】本発明の実施形態に係る床構造のＡ−Ａ縦断面が示された断面図である。
【発明を実施するための形態】
【００１４】
以下に、本発明の実施形態に係る床構造および床構造の組み立て方法を図面に基づいて説明する。図１は本実施形態に係る床構造１０の平面が示され、図２は床構造１０の断面が示されている。
【００１５】
図１および図２に示されているとおり、本発明の実施形態に係る床構造１０は、例えばＨ形鋼などの躯体１に取り付けられた第一ＡＬＣ床部材１１と、この第一ＡＬＣ床部材１１の上に配置された第二ＡＬＣ床部材１２と、第一ＡＬＣ床部材１１と第二ＡＬＣ床部材１２との間の端に配置された第一緩衝部材１５と、この両端の第一緩衝部材１５同士の間に配置された第二緩衝部材１６とが備えられている。第一ＡＬＣ床部材１１と第二ＡＬＣ床部材１２とは、間に第一緩衝部材１５および第二緩衝部材１６が取り付けられたことで中空層１７が形成されている。
【００１６】
第一ＡＬＣ床部材１１および第二ＡＬＣ床部材１２は、軽量気泡コンクリート（ＡＬＣ：Ａｕｔｏｃｌａｖｅｄ  Ｌｉｇｈｔｗｅｉｇｈｔ  ａｅｒａｔｅｄ  Ｃｏｎｃｒｅｔｅ）である。第一ＡＬＣ床部材１１は、躯体１間に渡されて並べられ、長手方向の両端部１３がフックボルト２で、躯体１のフランジに固定されている。第二ＡＬＣ床部材１２は各緩衝部材１５，１６を介して第一ＡＬＣ床部材１１の上に対面して並べられ、長手方向の両端部１４がスプリングワッシャー付きボルト３およびナット付き丸座４で第一ＡＬＣ床部材１１に固定されている。
【００１７】
第一緩衝部材１５および第二緩衝部材１６は、例えば薄板状の遮音マットなどであり、または発泡ウレタン１８などでもよい。第一緩衝部材１５は、第一ＡＬＣ床部材１１の両端部１３と、第二ＡＬＣ床部材１２の両端部１４との間に取り付けられ、両端部１３，１４に沿って一筋に連ねられている。第一緩衝部材１５は、適当な長さのものを連続して縦列させてもよく、一方、複数の第一ＡＬＣ床部材１１に一筋に跨る長さに形成されていてもよい。第二緩衝部材１６は第一緩衝部材１５同士の間で、第一ＡＬＣ床部材１１のほぼ中央に配置され、第一ＡＬＣ床部材１１ごとに取り付けられて第一緩衝部材１５と同じ方向に断続している。第二緩衝部材１６の間隔は任意である。なお、第二緩衝部材１６に代えて発泡ウレタン１８が注入されていてもよい（図１の二点鎖線参照）。
【００１８】
次に、本実施形態に係る床構造１０の組み立て方法について説明する。
【００１９】
図１および図２に示されているとおり、躯体１間に第一ＡＬＣ床部材１１を長手方向に渡して並べる。両端部１３にフックボルト２を貫通させ、フックボルト２で両端部１３を躯体１のフランジに固定する。両端部１３に沿って第一緩衝部材１５を連続して縦列させ、一筋に連ねて取り付け、それぞれネジで固定する。両端部１３の第一緩衝部材１５同士の間で、第一ＡＬＣ床部材１１のほぼ中央に第二緩衝部材１６を第一ＡＬＣ床部材１１ごとに取り付けて第一緩衝部材１５と同じ方向に一列に断続させ、それぞれネジで固定する。
【００２０】
各緩衝部材１５，１６を介して、第二ＡＬＣ床部材１２を第一ＡＬＣ床部材１１の上に対面させて並べる。第二ＡＬＣ床部材１２の両端部１４にスプリングワッシャー付きボルト３を第一ＡＬＣ床部材１１ごと貫通させ、ナット付き丸座４で締め付けて第二ＡＬＣ床部材１２を第一ＡＬＣ床部材１１に固定する。以上により、第一ＡＬＣ床部材１１と第二ＡＬＣ床部材１２との間に中空層１７を形成する。
【００２１】
なお、第二緩衝部材１６に代えて発泡ウレタン１８を注入してもよい。すなわち、第二緩衝部材１６を取り付けず、第一緩衝部材１５を介して第二ＡＬＣ床部材１２を第一ＡＬＣ床部材１の上に対面させて並べた後、両端部１３の第一緩衝部材１５同士の間で、第二ＡＬＣ床部材１２のほぼ中央に注入口を一列に断続して第二ＡＬＣ床部材１２ごとに開孔し、発泡ウレタン１８を注入する。
【００２２】
次に、本実施形態の効果を説明する。
【００２３】
上記したとおり、本実施形態によれば、Ｈ形鋼などの躯体１に取り付けられた第一ＡＬＣ床部材１１と、この第一ＡＬＣ床部材１１の上に配置された第二ＡＬＣ床部材１２と、第一ＡＬＣ床部材１１の両端部１３と第二ＡＬＣ床部材１２の両端部１４との間に取り付けられ、各両端部１３，１４に沿って一筋に連ねられた第一緩衝部材１５と、この第一緩衝部材１５同士の間で、第一ＡＬＣ床部材１１のほぼ中央に配置され、第一ＡＬＣ床部材１１ごとに取り付けられて第一緩衝部材１５と同じ方向に断続した第二緩衝部材１６が備えられている。第一ＡＬＣ床部材１１と第二ＡＬＣ床部材１２とは、間に第一緩衝部材１５および第二緩衝部材１６が取り付けられたことで中空層１７が形成されている。
【００２４】
この構成により、第二ＡＬＣ床部材１２への衝撃によって発生した振動が中空層１７で減衰するため、振動が第二ＡＬＣ床部材１２から第一ＡＬＣ床部材１１に直接伝搬することが妨げられる。したがって、第二ＡＬＣ床部材１２を床の一部とする住宅の二階と、第一ＡＬＣ床部材１１を天井の一部とする住宅の一階との間で、遮音効果を実現することができる。特に、軽量衝撃音に対する遮音効果が顕著である。
【００２５】
また、上記した構成により、いわゆる太鼓現象が抑制される。すなわち、第二ＡＬＣ床部材１２のうち、振動の媒体となる部分の面積が、第一緩衝部材１５と第二緩衝部材１６との間の範囲に狭められ、第二ＡＬＣ床部材１２が振動し辛くなる。したがって、いわゆる太鼓現象を抑制することができ、更に向上した遮音効果を実現することができる。
【００２６】
本実施形態によれば、第一ＡＬＣ床部材１１および第二ＡＬＣ床部材１２は軽量気泡コンクリートであるため、工場生産が可能であり、均一で高い施工精度が得られる。また、単位重量が軽量であるため（例えば厚みが２００ｍｍの場合の重量は約１３０ｋｇ／ｍ2）、構造体への負担が少なく、施工期間が短期で済む。さらに、耐火性能が優れている。
【００２７】
また、中空層１７を形成するための部材として、例えば薄板状の遮音マット、または発泡ウレタン１８が用いられている。したがって、簡便な構成で遮音効果を実現することができる。
【００２８】
次に、本発明の実施例を説明する。
【００２９】
第一ＡＬＣ床部材１１および第二ＡＬＣ床部材１２は、厚みが１００ｍｍから１２０ｍｍである。第一緩衝部材１５は、幅が１００ｍｍから２００ｍｍである。第一緩衝部材１５、第二緩衝部材１６、および中空層１７は、それぞれ厚みが４ｍｍから８ｍｍである。床構造１０は、厚みが２０４から２４８ｍｍである。フックボルト２はＭ１２であり、床構造１０の端から６０ｍｍの位置に取り付けられている。スプリングワッシャー付きボルトはＭ１２、Ｌ＝２１０から２４０、ナット付き丸座はφ５０であり、床構造１０の端から１６０ｍｍの位置に取り付けられている。注入口はφ９、発泡ウレタン１８は半径が約３００ｍｍ、養生は約１時間である。
【００３０】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００３１】
１                  躯体
２                  フックボルト
３                  スプリングワッシャー付きボルト
４                  ナット付き丸座
１０                床構造
１１                第一ＡＬＣ床部材
１２                第二ＡＬＣ床部材
１３、１４          端部
１５                第一緩衝部材
１６                第二緩衝部材
１７                中空層
１８                発泡ウレタン
【図１】
2015155604.tif 000003
【図２】
2015155604.tif 000004